(57)【要約】【課題】  固定ボルトを取り付けるためのボルト挿通孔を隠し、取付状態の調整や部材の交換の際には簡単に取り外すことができ、体裁もよく、かつ、構成がシンプルなキャップを有する建築金具の取付座を提供する。【解決手段】  ドア２の室内面３に着座する取付座本体７と、室外面５に着座する取付座本体１２がある。該取付座本体７には、両者を連結するためのボルト挿通孔１０が設けられている。このボルト挿通孔１０には、固定ボルト１１を隠蔽するようキャップ１４が嵌着される。このキャップ１４は、ボルト挿入孔１０から突出する方向にばね１８で付勢されている。該キャップ１４は、外面が上記取付座本体７の外側とほぼ同一面上に存する状態でビス止めされる。【選択図】  図２
2009249977.tif 000002
【特許請求の範囲】
【請求項１】
ドアハンドルやロック等の建築金具をドア、障子等の建具に取り付けるための建築金具の取付座であって、取付座本体を上記建具または該建具を挟んで反対側に設けた他の取付座本体と連結するため該取付座本体にボルト挿通孔を形成し、該ボルト挿通孔に挿入したボルトを隠蔽するよう該ボルト挿通孔にキャップを嵌着し、該キャップを上記ボルト挿通孔から突出する方向に付勢するよう上記ボルト挿通孔内にばねを設け、上記キャップの外面が上記取付座本体の外側とほぼ同一面上に存する状態で該キャップを固定したことを特徴とする建築金具の取付座。
【請求項２】
上記キャップには、上記ばねの一端部を挿入可能なばね挿入孔が設けられている請求項１に記載の建築金具の取付座。
【請求項３】
上記建築金具の取付座はドアの室内面に固着される室内側ハンドル部材とドアの室外面に固着される室外用ハンドル部材を有するドアハンドルであり、上記取付座本体は該室内側ハンドル部材を保持するために設けられている請求項１または請求項２に記載の建築金具の取付座。
【発明の詳細な説明】
【技術分野】
【０００１】
本発明は、ドアハンドルやロック等の建築金具をドア、障子等の建具に取り付けるための建築金具の取付座に関するものである。
【背景技術】
【０００２】
従来、ドアハンドルやロック等の建築金具をドアや障子等の建具に取り付ける構造として、上記建築金具の取付部材にボルト挿通孔を設け、該ボルト挿通孔からボルトを挿入して建具に固定し、該ボルト挿通孔の開口端部にキャップを圧入した構造が知られている（例えば、特許文献１参照）。しかし、特許文献１に記載されているような構造では、一旦キャップの全体をボルト挿通孔内に没入させてしまうと該キャップを再び取り外すことができないので、フランジを設けてキャップの外面をボルト挿通孔の開口端部から突出させ、取付状態の調整や部材の交換のときに該フランジを摘んで取り外せるよう構成されている。そのため、取付部材から突出するフランジに衣服や手指が引っ掛かるおそれがあり、体裁もよくなかった。また、このような欠点を生じないようにするには、部材点数が多くなり、構成も非常に複雑となり経済的に得ることが難しい。
【特許文献１】実開昭６０−１１２５５９号公報（２ページ１７行目〜３ページ１行目、第４図、第６図）
【発明の開示】
【発明が解決しようとする課題】
【０００３】
本発明が解決しようとする課題は、キャップをボルト挿通孔に取り付けたときに一部が突出するようなことがなく、取付状態の調整や部材の交換を行うときには簡単にキャップを取り外すことができ、体裁もよく、かつ、構成がシンプルで経済的に得られる建築金具の取付座を提供することである。
【課題を解決するための手段】
【０００４】
本発明によれば、ドアハンドルやロック等の建築金具をドア、障子等の建具に取り付けるための建築金具の取付座であって、取付座本体を上記建具または該建具を挟んで反対側に設けた他の取付座本体と連結するため該取付座本体にボルト挿通孔を形成し、該ボルト挿通孔に挿入したボルトを隠蔽するよう該ボルト挿通孔にキャップを嵌着し、該キャップを上記ボルト挿通孔から突出する方向に付勢するよう上記ボルト挿通孔内にばねを設け、上記キャップの外面が上記取付座本体の外側とほぼ同一面上に存する状態で該キャップを固定したことを特徴とする建築金具の取付座が提供され、上記課題が解決される。
【発明の効果】
【０００５】
本発明は、上記のように構成され、取付座本体を建具または該建具を挟んで反対側に設けた他の取付座本体と連結するため該取付座本体にボルト挿通孔を形成し、該ボルト挿通孔に挿入したボルトを隠蔽するよう該ボルト挿通孔にキャップを嵌着し、該キャップを上記ボルト挿通孔から突出する方向に付勢するよう上記ボルト挿通孔内にばねを設けて該キャップを固定するようにしたので、取付作業の調整や部材の交換の際には、上記キャップを固定しているビス等を取り外せば、該キャップは上記ばねに押圧され上記ボルト挿通孔から突出し、該キャップを容易に取り外してスムーズに作業を行うことができる。また、上記キャップを上記取付座本体の外側とほぼ同一面上に存する状態で固定したから、突出部がなく安全であり、体裁もよく、構成もシンプルで経済的に得ることができる。
【発明を実施するための最良の形態】
【０００６】
本発明は、ドアハンドルやロック等の建築金具をドア、障子等の建具に取り付けるための各種の取付座に適用することができるが、図においては、ドアの両面に取り付けるドアハンドルの取付座に適用した一実施例が示されている。ドアハンドル１は、公知のように、ドア２の室内面３に取り付けられる室内側ハンドル部材４と、ドア２の室外面５に取り付けられる室外側ハンドル部材６で構成され、該室外側ハンドル部材６と室内側ハンドル部材４をボルトで連結してドア２に固定している。
【０００７】
上記室内側ハンドル部材４は、上記ドア２の室内面３に着座する取付座本体７と、ねじ８により該取付座本体７に固定される取手部材９を有し、図に示す実施例では、上記取付座本体と上記取手部材を別体に設けてあるが、一体的に形成してもよい。また、本実施例において、上記取付座本体は、平面視略Ｌ字状に設けられているが、ドアハンドルの形状、構造等に応じて、その他種々の形状に形成することができ、上記取手部材も円柱以外の多角柱、楕円柱その他適宜の形状に形成することができる。
【０００８】
上記取付座本体７にはボルト挿通孔１０が設けられ、該ボルト挿通孔１０から固定ボルト１１を挿通して上記室外側ハンドル部材６の取付座本体１２と連結するようにしてある。なお、上記取付座本体７を上記建具に直接連結する構成にすることもできる。上記ボルト挿通孔は、上記取付座本体や上記室内側ハンドル部材の形状に応じて、ボルトを操作するドライバー（図示略）を容易に挿入できるよう適宜の箇所に設ければよい。
【０００９】
上記ボルト挿通孔１０の開口端部１３には、固定ボルト１１を隠蔽するようキャップ１４が嵌着され、該キャップ１４は上記取付座本体７の外面とほぼ同一面上に存する状態で固定されている。キャップの固定手段として、図に示す実施例では、キャップ１４の挿入端部の外周面に環状の係合溝１５を設け、該係合溝１５に上記取付座本体７に形成したビス孔１６からビス１７をねじ込んで係止しているが、その他適宜の固定手段を用いることができる。なお、上記キャップは、金属材料、合成樹脂材料等適宜の材料で形成することができ、上記取付座本体の外面とほぼ同一に見えるような適宜の外面形状に形成するのが好ましい。
【００１０】
上記ボルト挿通孔１０内には、上記キャップ１４を該ボルト挿通孔１０から突出する方向に付勢するばね１８が設けられている。該ばね１８の一端部は該キャップ１４に形成したばね挿入孔１９に挿入され、他端部は上記固定ボルト１１の頭部に当接されている。上記ばねとしては、金属製や樹脂製のコイルばね等適宜の弾性部材を用いることができる。また、本実施例に示すように、ばねの挿着作業を容易にするため上記キャップにばね挿入孔を設けるのが好ましいが、該ばね挿入孔を設けない構成にしてもよい。なお、上記ばねと上記キャップを合成樹脂材料等で一体的に形成することもできる。
【００１１】
上記ドア２には、固定ボルト１１を貫通可能なボルト貫通孔２０が設けられている。また、上記室外側ハンドル部材６の取付座本体１２は平面視略Ｌ字状に設けられ、該取付座本体１２には上記固定ボルト１１がねじ係合するボルト孔２１が形成され、ねじ８により取手部材９が固定されている。なお、この取付座本体１２と上記取手部材９を一体的に形成してもよい。
【００１２】
上記ドアハンドル１をドア２に取り付けるには、まず上記取付座本体１２をドア２の室外面５側にあてがい、室内面３側にあてがった上記取付座本体７の上記ボルト挿通孔１０に固定ボルト１１を挿入し、ドア２のボルト貫通孔２０を貫通させて上記取付座本体１２に形成した上記ボルト孔２１にねじ込み、ドア２を挟んで上記取付座本体７と上記取付座本体１２を連結固定する。次いで、上記キャップ１４に設けたばね挿入孔１９にばね１８の一端部を挿入した状態で該キャップ１４を上記ボルト挿通孔１０に嵌着し、該キャップ１４の外面が上記取付座本体７の外面とほぼ同一面上に位置した状態で上記ビス１７により該キャップ１４を固定する。そして、上記取手部材９をそれぞれ上記取付座本体７、１２にねじ着すればよい。
【００１３】
上記ビス１７を取り外せば、図２において仮想線で示すように、上記キャップ１４はばね１８に押圧されて上記開口端部１３から突出するので、簡単に該キャップ１４を取り外すことができる。
【図面の簡単な説明】
【００１４】
【図１】本発明の一実施例の取付状態を示す説明図である。
【図２】図１に示す実施例のＡ−Ａ断面を示す説明図である。
【符号の説明】
【００１５】
１  ドアハンドル
２  ドア
３  室内面
４  室内側ハンドル部材
５  室外面
６  室外用ハンドル部材
７、１２  取付座本体
９  取手部材
１０  ボルト挿通孔
１１  固定ボルト
１４  キャップ
１８  ばね
【図１】
2009249977.tif 000003
【図２】
2009249977.tif 000004